(57)【要約】      （修正有）【課題】立体積み重ね機能を有するプランターを提供する。【解決手段】鉢容器と、鉢受け皿２と、突き合わせ構造３とを備える。突き合わせ構造は鉢容器の上部末端に挿嵌具３１を設け、鉢受け皿の上部末端に突き合わせ具３２を設け、複数のプランターを立体に積み重ねたとき、上の層のプランターの鉢受け皿に設けた突き合わせ具が下の層の複数のプランターの鉢容器所に設けた挿嵌具と突き合わせることによって位置が固定され、上下が交差する立体積み重ね構造を形成して、スペースを有効に利用できる。【選択図】図６
0003218972.tif 000002
【実用新案登録請求の範囲】
【請求項１】
立体積み重ね機能を有するプランターであって、
前記プランターは、鉢容器と、鉢受け皿と、突き合わせ構造とを備え、
前記鉢容器上下部の両側それぞれに植栽部とベース部を形成し、
前記鉢受け皿は、前記ベース部と、前記ベース部の側面から延在された側壁を有し、前記植栽部と、前記側壁は同じ辺数を有する多辺形であり、前記鉢容器の前記ベース部を前記鉢受け皿の前記ベース部に固定し、
前記突き合わせ構造は、前記鉢容器の前記植栽部末端に挿嵌具を有し、前記鉢受け皿の前記側壁の末端に突き合わせ具を有し、
前記複数のプランターを立体に積み重ねるとき、上の層の前記プランターの前記鉢受け皿に設ける前記突き合わせ具が下の層の前記複数のプランターの前記鉢容器に設ける前記挿嵌部と突き合わせて、固定を形成する特徴を有する立体積み重ね機能を有するプランター。
【請求項２】
前記鉢容器の植栽部末端に設ける挿嵌部は、前記植栽部の縁部より上向きに延設する挿嵌部と、前記挿嵌部内側に凸設する固定部とを有し、前記鉢受け皿の前記側壁末端に設ける突き合わせ具は、前記側壁の縁部より横方向に継ぎ合わせ部と、前記継ぎ合わせ部の末端より下向きに当て板を延在することによって、当て板と、前記側壁との間に挿嵌空間を形成し、前記当て板に位置決め溝を設けて、前記挿嵌部が前記突き合わせ具と突き合わせて固定を形成したとき、前記挿嵌具の挿嵌部を前記突き合わせ具の前記挿嵌空間に挿嵌して、前記挿嵌部の前記固定部が前記突き合わせ具の前記位置決め溝に進入して、固定を形成することを特徴とする、請求項１記載の立体積み重ね機能を有するプランター。
【請求項３】
前記鉢容器の前記植栽部表面に収容空間を凹設し、前記ベース部に接合部と、前記接合部外側に設ける支持部とを有し、前記接合部に前記収容空間と連絡する流路を内設していて、かつ、下端に前記流路と連絡する第１排水口を有し、前記流路に吸水具を内設し、前記鉢受け皿の前記ベース部と前記側壁との間に貯水空間を形成していて、かつ、前記ベース部が前記貯水空間付近部の表面に中空状の嵌め継ぎ部を凸設し、前記嵌め継ぎ部の前記側壁に第２排水口を開けていて、前記第２排水口が前記嵌め継ぎ部上端より前記ベース部の表面に延在して前記嵌め継ぎ部の内部が前記貯水空間と連絡を形成し、前記鉢容器の前記ベース部が前記鉢受け皿の前記ベース部に固定されたとき、前記ベース部の前記支持部が前記ベース部に係止することによって、前記接合部が前記嵌め継ぎ部に挿嵌して、前記ベース部との間に間隔を形成して、前記第１排水口と、前記第２排水口とを連絡して、前記収容空間と、前記貯水空間が導通されることを特徴とする、請求項１記載の立体積み重ね機能を有するプランター。
【考案の詳細な説明】
【技術分野】
【０００１】
本考案は立体積み重ね機能を有するプランターに関し、特に複数に上下を交差して立体積み重ねて、スペースを有効に利用できる立体積み重ね機能を有するプランターに関する。
【背景技術】
【０００２】
一般のプランターは並列に平面形の配列設置がほとんどであり、しかも鉢容器の下方に水受け皿を設けていて、複数のプランターを利用するときにスペースを取られて無駄となり、スペースの有効利用は出来なかった。
【考案の概要】
【考案が解決しようとする課題】
【０００３】
本考案の主な目的は、プランターに設けられた突き合わせ構造を利用し、上の層にあるプランターが突き合わせ構造を介して、下の層にある複数のプランターと継ぎ合わせて、上下が交差する立体積み重ね構造を形成して、スペースを有効に利用できる立体積み重ね機能を有するプランターを提供することにある。
【０００４】
本考案の次の目的は、プランター内部に設ける吸水具を利用して水分の吸収と保存を行い、土壌の湿潤度を維持すると共に、毛細血管作用により水分を吸い上げて、土壌に伝送させるプランターを提供することにある。
【課題を解決するための手段】
【０００５】
前述目的を達成するため、本考案の立体積み重ね機能を有するプランターは、鉢容器と、鉢受け皿と、突き合わせ構造とを備える。鉢容器の上下両側にそれぞれ植栽部と、ベース部を形成し、鉢受け皿にベース部と、ベース部の側面から延在された側壁を有し、植栽部と、側壁が同じ辺数を有する多辺形であり、鉢容器のベース部が鉢受け皿のベース部に固定していて、かつ、ベース部に吸水具を内設され、突き合わせ構造は鉢容器の植栽部末端に挿嵌具を設け、鉢受け皿側壁の末端に突き合わせ具を設けて、複数のプランターを立体に積み重ねたとき、上の層のプランターの鉢受け皿に設ける突き合わせ具が下の層複数のプランターの鉢容器に設ける挿嵌具と突き合わせて、固定を形成する。
【図面の簡単な説明】
【０００６】
【図１】本考案のプランターの立体外観図である。
【図２】本考案のプランターの立体分解図である。
【図３】本考案のプランターの鉢容器の立体外観図である。
【図４】本考案のプランターを使用するときの立体外観図である。
【図５】本考案のプランターを使用するときの断面図である。
【図６】本考案の２つのプランターを結合させた立体断面を示す図である。
【図７】本考案の図６のＡの局所を示す拡大図である。
【図８】本考案の複数のプランターによる第１種の立体積み重ね方式を示す図である。
【図９】本考案の複数のプランターによる第２種の立体積み重ね方式を示す図である。
【考案を実施するための形態】
【０００７】
図１ないし図３と、図５を参照する。図からよく分かるように、本考案の立体積み重ね機能を有するプランター１０は、鉢容器１と、鉢受け皿２と、突き合わせ構造３とを備える。そのうち、
【実施例】
【０００８】
前記鉢容器１上下の両側にそれぞれ植栽部１１と、ベース部１２を形成し、植栽部１１の表面に収容空間１１１を凹設し、ベース部１２に接合部１２１と、接合部１２１の外側に設ける支持部１２２を有し、接合部１２１に収容空間１１１と連絡する流路１２３を内設し、下端に流路１２３と連絡する第１排水口１２４を凹設し、流路１２３に吸水具１３を内設し、支持部１２２の下端に第３排水口１２５を凹設する。
【０００９】
前記鉢受け皿２は、ベース部２１と、ベース部２１の側面から延在された側壁２２を有し、ベース部２１と、側壁２２との間に貯水空間２３を形成していて、かつ、ベース部２１が貯水空間２３付近部の表面に中空状の嵌め継ぎ部２４を凸設し、嵌め継ぎ部２４の側壁に第２排水口２４１を開け、第２排水口２４１が嵌め継ぎ部２４の上端をベース部２１の表面に延在することによって、嵌め継ぎ部２４内部と貯水空間２３が連絡される。
【００１０】
前記鉢容器１の植栽部１１と、鉢受け皿２の側壁２２が同じ辺数を有する多辺形である。
【００１１】
前記突き合わせ構造３は、鉢容器１の植栽部１１末端に挿嵌具３１を設け、鉢受け皿２の側壁２２末端に突き合わせ具３２を設け、挿嵌具３１が植栽部１１の縁部から上方に延設する挿嵌部３１１と、挿嵌部３１１の内側に凸設する固定部３１２と、挿嵌部３１１外側の周縁に設けるフランジ３１３とを有し、突き合わせ具３２は側壁２２の縁部から横方向に継ぎ合わせ部３２１を延設し、継ぎ合わせ部３２１末端から下向きへ当て板３２２を延設され、末端から上向きに係止板３２４を延設することによって、当て板３２２と、側壁２２との間に挿嵌空間４を形成していて、かつ、当て板３２２に位置決め溝３２３を設けられている。
【００１２】
引き続き、図１と図２を参照する。図からよく分かるように、本考案が植物の植栽ではなく、飾り物として使用する場合は、鉢受け皿２を鉢容器１にかぶせて、挿嵌部３１１の上端を継ぎ合わせ部３２１に係止し、係止板３２４の下端をフランジ３１３に係止して、固定を形成する。
【００１３】
引き続き、図３ないし図５を参照する。図からよく分かるように、本考案を植栽目的で使用する場合は、鉢容器１の支持部１２２を鉢受け皿２のベース部２１表面に係止し、接合部１２１を嵌め継ぎ部２４の内部に挿嵌して、固定を形成する。接合部１２１の底面と、ベース部２１との間に水分を排出するための間隔を設けており、第１排水口１２４が接合部１２１の底面およびベース部２１とを密着する形に係止していた場合の水分が流されないときに備えて、第１排水口１２４と、第２排水口２４１とを連絡させて、流路１２３内部の水分を排出させる。植物を植栽する場合は、収容空間１１１に土壌を充填して植物の植栽に用いられる。土壌に水を流し込み、収容空間１１１内部にある余分な水分が流路１２３を経由して、吸水具１３に流して吸収させる。さらに、吸水具１３で吸収し切れない余分な水分が第２排水口２４１と、第３排水口１２５を経由して、貯水空間２３に流れる。これに対して、土壌が乾燥しすぎる場合には、吸水具１３の水分が吸収される。さらに、吸水具１３の水分が不足した場合は、毛細血管作用によって、貯水空間２３内部の水分を吸収される。
【００１４】
図６ないし図９を参照する。図からよく分かるように、本考案複数のプランター１０を立体に積み重ねる場合、上の層プランター１０の鉢受け皿２に設ける突き合わせ具３２が下の層複数のプランター１０の鉢容器１に設ける挿嵌具３１と突き合わせて、挿嵌具３１の挿嵌部３１１を突き合わせ具３２の挿嵌空間４に挿嵌して、挿嵌具３１の固定部３１２が突き合わせ具３２の位置決め溝３２３に進入させ、当て板３２２を挿嵌部３１１内側の表面に固定し、上下が交差する立体積み重ね構造を形成して、スペースを飾りに有効利用することができる。
【符号の説明】
【００１５】
１０      プランター
１        鉢容器
１１      植栽部
１１１    収容空間
１２      ベース部
１２１    接合部
１２２    支持部
１２３    流路
１２４    第１排水口
１２５    第３排水口
１３      吸水具
２        鉢受け皿
２１      ベース部
２２      側壁
２３      貯水空間
２４      嵌め継ぎ部
２４１    第２排水口
３        突き合わせ構造
３１      挿嵌具
３１１    挿嵌部
３１２    固定部
３１３    フランジ
３２      突合せ具
３２１    継ぎ合わせ部
３２２    当て板
３２３    位置決め溝
３２４    係止板
４        挿嵌空間
【図１】
0003218972.tif 000003
【図２】
0003218972.tif 000004
【図３】
0003218972.tif 000005
【図４】
0003218972.tif 000006
【図５】
0003218972.tif 000007
【図６】
0003218972.tif 000008
【図７】
0003218972.tif 000009
【図８】
0003218972.tif 000010
【図９】
0003218972.tif 000011
【手続補正書】
【提出日】平成30年8月20日(2018.8.20)
【手続補正１】
【補正対象書類名】実用新案登録請求の範囲
【補正対象項目名】請求項１
【補正方法】変更
【補正の内容】
【請求項１】
立体積み重ね機能を有するプランターであって、
前記プランターは、鉢容器と、鉢受け皿と、突き合わせ構造とを備え、
前記鉢容器上下部の両側それぞれに植栽部とベース部を形成し、
前記鉢受け皿は、前記ベース部と、前記ベース部の側面から延在された側壁を有し、前記植栽部と、前記側壁は同じ辺数を有する多辺形であり、前記鉢容器の前記ベース部を前記鉢受け皿の前記ベース部に固定し、
前記突き合わせ構造は、前記鉢容器の前記植栽部末端に挿嵌具を有し、前記鉢受け皿の前記側壁の末端に突き合わせ具を有し、
前記複数のプランターを立体に積み重ねるとき、上の層の前記プランターの前記鉢受け皿に設ける前記突き合わせ具が下の層の前記複数のプランターの前記鉢容器に設ける前記挿嵌具と突き合わせて、固定を形成する特徴を有する立体積み重ね機能を有するプランター。
【手続補正２】
【補正対象書類名】実用新案登録請求の範囲
【補正対象項目名】請求項２
【補正方法】変更
【補正の内容】
【請求項２】
前記鉢容器の植栽部末端に設ける挿嵌具は、前記植栽部の縁部より上向きに延設する挿嵌部と、前記挿嵌部内側に凸設する固定部とを有し、前記鉢受け皿の前記側壁末端に設ける突き合わせ具は、前記側壁の縁部より横方向に継ぎ合わせ部と、前記継ぎ合わせ部の末端より下向きに当て板を延在することによって、当て板と、前記側壁との間に挿嵌空間を形成し、前記当て板に位置決め溝を設けて、前記挿嵌部が前記突き合わせ具と突き合わせて固定を形成したとき、前記挿嵌具の挿嵌部を前記突き合わせ具の前記挿嵌空間に挿嵌して、前記挿嵌部の前記固定部が前記突き合わせ具の前記位置決め溝に進入して、固定を形成することを特徴とする、請求項１記載の立体積み重ね機能を有するプランター。
【手続補正書】
【提出日】平成30年9月20日(2018.9.20)
【手続補正１】
【補正対象書類名】実用新案登録請求の範囲
【補正対象項目名】全文
【補正方法】変更
【補正の内容】
【実用新案登録請求の範囲】
【請求項１】
立体積み重ね機能を有するプランターであって、
前記プランターは、鉢容器と、鉢受け皿と、突き合わせ構造とを備え、
前記鉢容器上下部の両側それぞれに植栽部とベース部を形成し、
前記鉢受け皿は、前記ベース部と、前記ベース部の側面から延在された側壁を有し、
前記植栽部と、前記側壁は同じ辺数を有する多辺形であり、前記鉢容器の前記ベース部を前記鉢受け皿の前記ベース部に固定し、
前記突き合わせ構造は、前記鉢容器の前記植栽部末端に挿嵌具を有し、前記鉢受け皿の前記側壁の末端に突き合わせ具を有し、
前記複数のプランターを立体に積み重ねるとき、上の層の前記プランターの前記鉢受け皿に設ける前記突き合わせ具が下の層の前記複数のプランターの前記鉢容器に設ける前記挿嵌具と突き合わせて、固定を形成する特徴を有する立体積み重ね機能を有するプランター。
【請求項２】
前記鉢容器の植栽部末端に設ける挿嵌具は、前記植栽部の縁部より上向きに延設する挿嵌部と、前記挿嵌部内側に凸設する固定部とを有し、前記鉢受け皿の前記側壁末端に設ける突き合わせ具は、前記側壁の縁部より横方向に継ぎ合わせ部と、前記継ぎ合わせ部の末端より下向きに当て板を延在することによって、当て板と、前記側壁との間に挿嵌空間を形成し、前記当て板に位置決め溝を設けて、前記挿嵌具が前記突き合わせ具と突き合わせて固定を形成したとき、前記挿嵌具の挿嵌部を前記突き合わせ具の前記挿嵌空間に挿嵌して、前記挿嵌具の前記固定部が前記突き合わせ具の前記位置決め溝に進入して、固定を形成することを特徴とする、請求項１記載の立体積み重ね機能を有するプランター。
【請求項３】
前記鉢容器の前記植栽部表面に収容空間を凹設し、前記ベース部に接合部と、前記接合部外側に設ける支持部とを有し、前記接合部に前記収容空間と連絡する流路を内設していて、かつ、下端に前記流路と連絡する第１排水口を有し、前記流路に吸水具を内設し、前記鉢受け皿の前記ベース部と前記側壁との間に貯水空間を形成していて、かつ、前記ベース部が前記貯水空間付近部の表面に中空状の嵌め継ぎ部を凸設し、前記嵌め継ぎ部の前記側壁に第２排水口を開けていて、前記第２排水口が前記嵌め継ぎ部上端より前記ベース部の表面に延在して前記嵌め継ぎ部の内部が前記貯水空間と連絡を形成し、前記鉢容器の前記ベース部が前記鉢受け皿の前記ベース部に固定されたとき、前記ベース部の前記支持部が前記ベース部に係止することによって、前記接合部が前記嵌め継ぎ部に挿嵌して、前記ベース部との間に間隔を形成して、前記第１排水口と、前記第２排水口とを連絡して、前記収容空間と、前記貯水空間が導通されることを特徴とする、請求項１記載の立体積み重ね機能を有するプランター。